(57)【要約】【課題】自動運転する手乾燥装置の待機電力の削減を図ることを目的とする。【解決手段】本体１に手挿入部２と、手挿入部２に空気を送る送風装置３と、手挿入部２に手の存在を検知する手検知手段５と、手検知手段５からの信号の有無により、送風装置３を動作させるかどうかを判断する制御部６と、本体上面に上下に動く稼動部カバー９と、稼動部カバー９に荷重が掛かると下方に動く稼動アーム１０と、稼動アーム１０の動作により、本体への給電の遮断／開始を切り換えるメカスイッチ部１１とを備えたものである。【選択図】図１
2012045128.tif 000002
【特許請求の範囲】
【請求項１】
本体上面に開口した手挿入部と、前記手挿入部に空気を送る送風装置と、前記手挿入部に手の存在を検知する手検知手段と、前記手検知手段からの信号の有無により、前記送風装置を動作させるかどうかを判断する制御部と、前記手挿入部の開口の対向する二辺に上下に動く稼動部カバーと、前記稼動部カバーに荷重が掛かると下方に動く稼動アームと、前記稼動アームの動作により、本体への給電の遮断／開始を切り換えるメカスイッチ部を備えた手乾燥装置。
【請求項２】
稼動部カバーは、本体上面を覆うように設置され、本体上面に掛かる荷重により上下に動作する請求項１記載の手乾燥装置。
【請求項３】
稼動部カバーに掛かる荷重がなくなった場合、稼動部カバーを初期状態に自動復帰させるバネを備えていることを特徴とする請求項１または２に記載の手乾燥装置。
【請求項４】
制御部は、本体への給電を開始してから所定の時間、手検知手段への給電を遮断する請求項１から３のいずれか一つに記載の手乾燥装置。
【請求項５】
制御部は、本体への給電を開始してから少なくとも所定の時間を測定するタイマー手段を備えた請求項７記載の手乾燥装置。
【請求項６】
制御部は、本体への給電が開始されてから所定の時間、第一給電報知手段へ給電し続ける請求項１から５のいずれか一つに記載の手乾燥装置。
【請求項７】
制御部は、手検知手段への給電を開始した場合、第二給電報知手段への給電を開始する請求項１から６記載の手乾燥装置。
【発明の詳細な説明】
【技術分野】
【０００１】
本発明は、待機電力の削減を図った手乾燥装置に関するものである。
【背景技術】
【０００２】
従来、手乾燥装置は、洗浄後の濡れた手を衛生的に乾燥させる装置として、高速空気流により手に付着した水滴を吹き飛ばして乾燥させるものが知られている（例えば、特許文献１参照）。
【０００３】
以下、その手乾燥装置について図６を参照しながら説明する。
【０００４】
図６に示すように、この装置は、本体１０１上部に乾燥室１０２に手を挿入するための開口部が設けられ、乾燥室１０２の壁面に設けられたセンサーからなる手検出部１０３が設けられている。
【０００５】
さらに、手検出部１０３により手を検知すると本体１０１に内蔵された送風装置１０４が作動し、吹き出し口１０５から乾燥室１０２へ高速空気流が噴射して、手に付着した水分を吹き飛ばして、手を乾燥させる構成となっていた。
【先行技術文献】
【特許文献】
【０００６】
【特許文献１】特開２００１−１０４２１１号公報
【発明の概要】
【発明が解決しようとする課題】
【０００７】
このような従来の手乾燥装置では、例えば本体上面に一時的に荷物に置かれた場合、手乾燥機能が喪失しているにもかかわらず本体への給電が行われ電力を消費していることがあった。
【０００８】
本発明は、このような従来の課題を解決するものであり、本体上面に物が載せられた場合にこれを検知し、いち早く本体への給電を遮断することにより、手乾燥装置の待機電力の削減を図ることを目的としている。
【課題を解決するための手段】
【０００９】
そして、この目的を達成するために、本発明は、本体上面に開口した手挿入部と、前記手挿入部に空気を送る送風装置と、前記手挿入部に手の存在を検知する手検知手段と、前記手検知手段からの信号の有無により、前記送風装置を動作させるかどうかを判断する制御部と、前記手挿入部の開口の対向する二辺に上下に動く稼動部カバーと、前記稼動部カバーに荷重が掛かると下方に動く稼動アームと、前記稼動アームの動作により、本体への給電の遮断／開始を切り換えるメカスイッチ部を備えたものであり、これにより所期の目的を達成するものである。
【発明の効果】
【００１０】
本発明によれば、本体上面に開口した手挿入部と、前記手挿入部に空気を送る送風装置と、前記手挿入部に手の存在を検知する手検知手段と、前記手検知手段からの信号の有無により、前記送風装置を動作させるかどうかを判断する制御部と、前記手挿入部の開口の対向する二辺に上下に動く稼動部カバーと、前記稼動部カバーに荷重が掛かると下方に動く稼動アームと、前記稼動アームの動作により、本体への給電の遮断／開始を切り換えるメカスイッチ部を備えた構成にし、前記メカスイッチ部は、電気的ではなく、機械的に本体への給電を遮断するため、前記稼動部カバーに荷重が加わり、前記メカスイッチ部がＯＦＦの状態になると、本体への給電を完全に遮断させるため、待機電力を削減することができるという効果が得られる。
【図面の簡単な説明】
【００１１】
【図１】本発明の実施の形態１の手乾燥装置を示す側断面図
【図２】同手乾燥装置の制御アルゴリズム全体を示すフローチャート
【図３】同手乾燥装置の手乾燥ルーチンを示すフローチャート
【図４】同手乾燥装置の給電遮断ルーチンを示すフローチャート
【図５】同手乾燥装置の判定ルーチンを示すフローチャート
【図６】従来の手乾燥装置を示す側断面図
【発明を実施するための形態】
【００１２】
本発明の請求項１記載の手乾燥装置は、本体上面に開口した手挿入部と、前記手挿入部に空気を送る送風装置と、前記手挿入部に手の存在を検知する手検知手段と、前記手検知手段からの信号の有無により、前記送風装置を動作させるかどうかを判断する制御部と、前記手挿入部の開口の対向する二辺に上下に動く稼動部カバーと、前記稼動部カバーに荷重が掛かると下方に動く稼動アームと、前記稼動アームの動作により、本体への給電の遮断／開始を切り換えるメカスイッチ部を備えたという構成を有する。これにより、稼動部カバーに荷重が掛かるとメカスイッチ部がＯＦＦ状態となり、本体への給電を遮断することにより、待機電力を削減することができるという効果を奏する。
【００１３】
また本発明の請求項２記載の手乾燥装置は、稼動部カバーは、本体上面を覆うように設置され、本体上面に掛かる圧力により上下に動作するものである。これにより、本体上面に物体が乗っているなど圧力が掛かった場合、稼動部カバーが下がり、稼動アームを動作させる機能を実現することができるという効果を奏する。
【００１４】
また本発明の請求項３記載の手乾燥装置は、稼動部カバーに掛かる圧力がなくなった場合、メカスイッチ部をＯＦＦし、本体への給電を開始するため、稼動部カバーを初期状態に自動復帰させるバネを備えていることを特徴とするものである。これにより、稼動部カバーの自重を支えることができ、また、メカスイッチ部をＯＮからＯＦＦへと切り換え、自動で給電を開始する機能を実現することができるという効果を奏する。
【００１５】
また本発明の請求項４記載の手乾燥装置は、制御部は、本体への給電を開始してから所定の時間、手検知手段への給電を遮断するものである。これにより、本体への給電が開始された瞬間に手検知手段が手の検知を実行した場合、手乾燥が開始されてしまうが、手検知手段への給電までに時間を空けることにより、本体の状態が安定するまでは手乾燥が開始されない機能を実現することができるという効果を奏する。
【００１６】
また本発明の請求項５記載の手乾燥装置は、制御部は、本体への給電を開始してから少なくとも所定の時間を測定するタイマー手段を備えたものである。これにより、本体の上体が安定するまでは手乾燥が開始されない機能を実現することができるという効果を奏する。
【００１７】
また本発明の請求項６記載の手乾燥装置は、制御部は、本体への給電が開始されてから所定の時間、第一給電報知手段へ給電し続けるものである。これにより、手乾燥する使用者は、本体の状態が安定するまでは手乾燥が開始されないという情報を、手挿入部に手を挿入することなく知ることができるという効果を奏する。
【００１８】
また本発明の請求項７記載の手乾燥装置は、制御部は、手検知手段への給電を開始した場合、第二給電報知手段への給電を開始するものである。これにより、手乾燥する使用者は、本体を利用することができるという情報を手挿入部に手を挿入することなく知ることができるという効果を奏する。
【００１９】
以下、本発明の実施の形態について図面を参照しながら説明する。
【００２０】
（実施の形態１）
図１に示すように、本発明の手乾燥装置において、本体１は、この本体１上面にあって外部に向かって開口した挿入口１ａから手を抜き差しできる手挿入部２と、手挿入部２に空気を送る送風装置３と、送風装置３から送られた空気を手挿入部２に送出する吹き出し口４と、手挿入部２に手の存在を検知する手検知手段５と、手検知手段５からの信号の有無により、送風装置３を動作させるかどうかを判断する判断手段５ａを有する制御部６と、制御部６が本体１への給電を開始してからの時間情報により、本体１の状態などを製品の表面に表示させる第一給電報知手段７および第二給電報知手段８を備える。
【００２１】
また、本体１は、手挿入部２の開口である挿入口１ａの対向する二辺（長手方向の２辺が望ましい）に上下に動く稼動部カバー９と、前記稼動部カバー９に荷重が掛かると下方に動く稼動アーム１０と、前記稼動アーム１０の動作により、本体１への給電の遮断／開始を切り換えるメカスイッチ部１１を備える。
【００２２】
また、図１における稼動部カバー９は、稼動部カバー９を初期状態、つまり上方に浮かせて支えて自動復帰させるバネ１２を備える。
【００２３】
また、図１における制御部６は、手検知手段５と、本体１への給電が開始されたことを報知する第一給電報知手段７と、手検知手段５への給電が開始されたことを報知する第二給電報知手段８と電気的に接続されており、制御部６が本体１への給電を開始してからの時間情報と、その時間情報と所定値とを比較した結果などを第一給電報知手段７および第二給電報知手段８へ伝える。
【００２４】
また、送風装置３は、送風装置３内に設けたファンモータ１３を用いて、ファンモータ１３を回転させることにより、本体１下部にある吸い込み口１４から空気を取り込み、吹き出し口４から空気を送り出すものである。
【００２５】
また、制御部６は、本体１への給電を開始してから少なくとも所定の時間を測定するタイマー手段１５を備え、また、タイマー手段１５のカウント値と比較して手検知手段５への給電を開始させる所定値を記憶しており、タイマー手段１５のカウント値と所定値とを比較することにより、制御部６は手検知手段５への給電を開始するかどうかを判断する。
【００２６】
また、図１における手検知手段５は一例として、赤外線受発光素子や測距センサーなどを用いて、手挿入部２内の手の抜き差しを検知するものである。
【００２７】
また、手検知手段５からの信号を検知した制御部６は、手検知手段５が手の存在を検知している間、送風装置３を動作し続け、検知を終えれば、送風装置３を停止させるものである。
【００２８】
また、第一給電報知手段７および第二給電報知手段８は一例として、互いに異なる色に発光するＬＥＤやＬＣＤなどを用いて、制御部６からの信号を受け、本体１の表層面に本体１の状態を表示させることにより、使用者に本体１の状態をいち早く伝えるものである。
【００２９】
上記構成において、手乾燥装置の動作を説明する。
【００３０】
手乾燥装置動作のアルゴリズムは、大きく分けて、メカスイッチ部１１により、機械的に制御される給電遮断ルーチン１６と、タイマー手段１５により、手検知手段５への給電開始タイミングを判定する判定ルーチン１７と、制御部６により、電気的に制御される手乾燥ルーチン１８の三つの異なるルーチンとから構成されており、そのフローは図２のフローチャートのようになる。
【００３１】
まず、給電遮断ルーチン１６についてその動作を図４のフローチャートで説明する。給電遮断ルーチン１６は、荷重検知ステップ１９と、給電遮断ステップ２０と、給電開始ステップ２１から構成されている。荷重検知ステップ１９では、本体１上面に設置された稼動部カバー９に鉛直上方向から圧力が掛かると、給電遮断ステップ２０において、稼動部カバー９と物理的に接続された稼動アーム１０が鉛直下方向に動作し、稼動アーム１０と物理的に接続されたメカスイッチ部１１をＯＦＦし、本体１への給電を遮断する。また、荷重検知ステップ１９では、稼動部カバー９に鉛直上方向から掛かっていた荷重がなくなると、給電開始ステップ２１において、その圧力に対抗するようにバネ１２が動作し、稼動部カバー９を鉛直上方向に動作させ、それにともない、稼動アーム１０が鉛直上方向に動作し、メカスイッチ部１１がＯＮすることにより、本体１への給電が開始される。
【００３２】
つまり、本体１の挿入口１ａに荷物が置かれていないことをメカスイッチ部１１が検知して、荷物が置かれていないときに本体１への給電を開始することができる。
【００３３】
すなわち、本体１の挿入口１ａの縁部に一時的に荷物が置かれた場合（挿入口１ａの対向する二辺を跨いで荷物が置かれた場合）にはメカスイッチ部１１がＯＦＦすることで本体１への給電を遮断することができる。そして、このように手乾燥装置に手が挿入できない状態において、給電を停止することで、不要な電力を遮断して待機電力を削減することができる。
【００３４】
このようにして本体１への給電が開始すると、次に判定ルーチン１７にて本体１および手検知手段５への給電が開始されたことの報知を行うこととなる。その判定ルーチン１７についてその動作を図４のフローチャートで説明する。
【００３５】
判定ルーチン１７は、タイマーセットステップ２２と、時間判定ステップ２３と、第一報知ステップ２４と、第二報知ステップ２５と、タイマーリセットステップ２６から構成されている。タイマーセットステップ２２では、本体１への給電が開始されると、制御部６によりタイマー手段１５がセットされ、タイマー手段１５による時間計測を開始させる。時間判定ステップ２３では、タイマー手段１５の時間計測値が所定値未満の場合、第一報知ステップ２４において、第一給電報知手段７への給電を開始し、使用者に本体１への給電が開始されたことを報知する。また、時間判定ステップ２３では、タイマー手段１５の時間計測値が所定値以上の場合、第二報知ステップ２５において、手検知手段５への給電を開始し、使用者に手検知手段５への給電が開始されたことを報知するため、第二給電報知手段８への給電を開始し、タイマーリセットステップ２６において、タイマー手段１５をリセットする。なお、タイマー手段１５の時間計測値が所定値以上となるまでは、時間計測を続けることとなる。
【００３６】
そして、本実施の形態の手乾燥装置は、手が挿入されたときに手を乾燥することが可能になる。以下その動作について手乾燥ルーチン１８に基づき図５のフローチャートで説明する。
【００３７】
手乾燥ルーチン１８は、手検知ステップ２７と、モータ回転ステップ２８と、モータ停止ステップ２９から構成されている。手検知ステップ２７では、手挿入部２に手が挿入され、手検知手段５により手を検知した場合、モータ回転ステップ２８において、制御部６はその信号を受け取り、ファンモータ１３を回転させることにより、手を乾燥させる。また、手検知手段５が手を検知し、ファンモータ１３が回転したとき、フラグをセットする。
【００３８】
また、手検知ステップ２７では、手検知手段５により手を検知しない場合、モータ停止ステップ２９において、フラグがあるかどうかを判定し、フラグがない場合、手検知ステップ２７に戻る。また、フラグがある場合、手乾燥が終了したと判断し、制御部６はその信号を受け取り、ファンモータ１３を停止させることにより、手の乾燥を終了する。
【００３９】
また、メカスイッチ部１１は、電気的ではなく、機械的に動作するものであり、制御部６とは独立して、ＯＮ／ＯＦＦを切り換え可能であるため、本体１の動作状態に関わらず、給電遮断ルーチン１６は最優先に実行される。つまり、図５のフローチャートにおけるモータ回転ステップ２３中や、モータ停止ステップ２９中や、図５のフローチャートにおける第一報知ステップ２４中においても、給電遮断ルーチン１６は優先される。
【００４０】
以上のように、稼動部カバー９に荷重が掛かり、メカスイッチ部１１がＯＦＦ状態の場合、本体への給電を完全遮断することにより、手乾燥装置の動作時間の大半を占める待機時間で消費される電力を大幅に削減することができるため、待機電力を抑えた商品を提供することができる。
【産業上の利用可能性】
【００４１】
本発明の手乾燥装置は、レストランやホテルなどの洗面所やトイレに設置され、また病院や手術室や調理場においても適用できる。
【符号の説明】
【００４２】
１    本体
２    手挿入部
３    送風装置
４    吹き出し口
５    手検知手段
６    制御部
７    第一給電報知手段
８    第二給電報知手段
９    稼動部カバー
１０  稼動アーム
１１  メカスイッチ部
１２  バネ
１３  ファンモータ
１４  吸い込み口
１５  タイマー手段
【図１】
2012045128.tif 000003
【図２】
2012045128.tif 000004
【図３】
2012045128.tif 000005
【図４】
2012045128.tif 000006
【図５】
2012045128.tif 000007
【図６】
2012045128.tif 000008